(57)【要約】【課題】２枚の板状樹脂部材への加工が貫通孔の形成のみである板状樹脂部材の固定構造を提供することを目的とする。【解決手段】雄螺子部７を有する段付きボルト１と雌螺子部１９を有するバーリングナット２を用いて第一板状樹脂部材３と第二板状樹脂部材４を固定する固定構造であって、第一板状樹脂部材３がバーリングナット２の一側面１４側に配置され、第二板状樹脂部材４がバーリングナット２の他側面１５側に配置され、雄螺子部７と雌螺子部１９が螺合することにより第一板状樹脂部材３が段付きボルト１の頭部５とバーリングナット２との間に固定され、第二板状樹脂部材４がバーリングナット２の他側面１５に接着剤２２により固定される。【選択図】図５
2019178761.tif 000002
【特許請求の範囲】
【請求項１】
雄螺子部を有する第一連結部品と雌螺子部を有する第二連結部品を用いて第一板状樹脂部材と第二板状樹脂部材を固定する固定構造であって、
前記第一板状樹脂部材が前記第二連結部品の一側面側に配置され、前記第二板状樹脂部材が前記第二連結部品の他側面側に配置され、
前記雄螺子部と前記雌螺子部が螺合することにより前記第一板状樹脂部材が前記第一連結部品の頭部と前記第二連結部品との間に固定され、
前記第二板状樹脂部材が前記第二連結部品の他側面に接着剤により固定されることを特徴とする固定構造。
【請求項２】
前記第一連結部品は前記第二連結部品に当接する段部を有し、
前記第一板状樹脂部材は前記段部を挿通可能な挿通孔を有し、
前記段部の長さが前記第一板状樹脂部材の厚さよりも長いことを特徴とする請求項１に記載の固定構造。
【請求項３】
前記第二連結部品は、平坦な平板部と、貫通孔と、前記貫通孔の周縁部に立設された周壁部と、を有し、
前記周壁部が前記第二連結部品の前記他側面に形成され、
前記雌螺子部が前記貫通孔の内面と前記周壁部の内面に形成されていることを特徴とする請求項１又は２に記載の固定構造。
【請求項４】
前記第一連結部品は前記第二連結部品と当接する当接部を有し、前記当接部が前記第二連結部品の前記一側面に当接することを特徴とする請求項１〜３の何れか１項に記載の固定構造。
【発明の詳細な説明】
【技術分野】
【０００１】
本発明は、第一板状樹脂部材と第二板状樹脂部材を固定する固定構造に関する。
【背景技術】
【０００２】
従来、２つの樹脂部材を固定する構造として、特許文献１に記載の樹脂部材の取付部構造が知られている。この取付部構造は、第１樹脂部材（１０）と第２樹脂部材（２０）を段付きボルト（３０）とナット（４）により取付部材（１）に共締めするものである。そのため、第１樹脂部材（１０）と第２樹脂部材（２０）が固定される。
【０００３】
第１樹脂部材（１０）には段付きボルト（３０）の段部（３１）を嵌合する結合孔（２８）を形成する第１結合孔形成部（１３）が切欠き形成され、第２樹脂部材（２０）にはエンボス状の取付部部分（２２）及び第２結合部（２４）が形成されている。また、第２結合部（２４）には第２結合孔形成部（２６）が切欠き形成されている。そして、第１樹脂部材（１０）の端面（１２）と第２樹脂部材（２０）の端面（２５）を当接させて結合孔（２８）を形成している。この結合孔（２８）内及び取付部部分（２２）内に段付きボルト（３０）の段部（３１）及び頭部（３３）が配置される。
【先行技術文献】
【特許文献】
【０００４】
【特許文献１】特開２００３−１８１９３８号公報
【発明の概要】
【発明が解決しようとする課題】
【０００５】
上述のとおり、特許文献１に記載の取付部構造では、結合孔（２８）を形成するために第１樹脂部材（１０）の端面（１２）と第２樹脂部材（２０）の端面（２５）のように当接する面が必要となり、固定する樹脂部材の端面の形状が一定程度制限されてしまうという問題があった。また、第２樹脂部材（２０）の第２結合部（２４）は、第２樹脂部材（２０）の成型時に形成することは容易であるが、第２樹脂部材（２０）を成型後に形成するのは困難である。そのため、既に板状に成型された樹脂部材を固定使用とした場合には、特許文献１に記載の取付部構造は採用し難いものであった。
【０００６】
そこで、本発明は以上の問題点を解決し、樹脂部材への加工が貫通孔の形成のみである樹脂部材の固定構造を提供することを目的とする。
【課題を解決するための手段】
【０００７】
本発明の固定構造は、雄螺子部を有する第一連結部品と雌螺子部を有する第二連結部品を用いて第一板状樹脂部材と第二板状樹脂部材を固定する固定構造であって、前記第一板状樹脂部材が前記第二連結部品の一側面側に配置され、前記第二板状樹脂部材が前記第二連結部品の他側面側に配置され、前記雄螺子部と前記雌螺子部が螺合することにより前記第一板状樹脂部材が前記第一連結部品の頭部と前記第二連結部品との間に固定され、前記第二板状樹脂部材が前記第二連結部品の他側面に接着剤により固定されることを特徴とする。
【０００８】
また、本発明の固定構造は、前記第一連結部品は前記第二連結部品に当接する段部を有し、前記第一板状樹脂部材は前記段部を挿通可能な挿通孔を有し、前記段部の長さが前記第一板状樹脂部材の厚さよりも長いことを特徴とする。
【０００９】
また、本発明の固定構造は、前記第二連結部品は、平坦な平板部と、貫通孔と、前記貫通孔の周縁部に立設された周壁部と、を有し、前記周壁部が前記第二連結部品の前記他側面に形成され、前記雌螺子部が前記貫通孔の内面と前記周壁部の内面に形成されていることを特徴とする。
【００１０】
また、本発明の固定構造は、前記第一連結部品は前記第二連結部品と当接する当接部を有し、前記当接部が前記第二連結部品の前記一側面に当接することを特徴とする。
【発明の効果】
【００１１】
本発明により、簡易な構造により第一板状樹脂部材と第二板状樹脂部材を固定することができる。
【図面の簡単な説明】
【００１２】
【図１】本発明の実施例１を示す段付きボルトの斜視図である。
【図２】同、バーリングナット他側面側の斜視図である。
【図３】同、金属ワッシャの斜視図である。
【図４】同、ゴムワッシャの斜視図である。
【図５】同、第一板状樹脂部材と第二板状樹脂部材を固定した状態の縦断面図である。
【発明を実施するための形態】
【００１３】
以下、本発明の実施例について、添付の図１〜図５を参照して説明する。以下に説明する実施例は、特許請求の範囲に記載された本発明の内容を限定するものではない。また、以下に説明される構成の全てが、本発明の必須要件であるとは限らない。
【実施例１】
【００１４】
図１〜図５は本発明の実施例１を示しており、第一連結部品としての段付きボルト１と第二連結部品としてのバーリングナット２により第一板状樹脂部材３と第二板状樹脂部材４とを固定するものである。
【００１５】
図１及び図５に示すように、段付きボルト１は、頭部５と、段部６と、雄螺子部７から構成されている。頭部５は、六角柱形状の工具係止部８と、工具係止部８よりも大径のフランジ部９から構成されている。工具係止部８は、段付きボルト１をバーリングナット２に螺合させる際と、段付きボルト１をバーリングナット２から外す際に段付きボルト１を回転させるための工具（図示しないが、例えば、スパナ等）を係止する部分である。段部６はフランジ部９よりも小径であって円柱状に形成されている。段部６の雄螺子部７側の端面には平坦な当接部１０が形成されている。雄螺子部７は、段部６よりも小径に形成されている。なお、本実施例の頭部５は、六角柱形状に形成されているが、円柱形状に形成すると共に六角孔（図示せず）を形成し、その六角孔に六角レンチ（図示せず）を挿入して段付きボルト１を回転可能とする等、段付きボルト１を回転させるために工具を係止可能であれば他の形状としてもよい。
【００１６】
図２及び図５に示すように、バーリングナット２は、金属により形成されており、矩形板状の平板部１１と、周壁部１２から構成されている。バーリングナット２の中心部にはバーリングナット２を貫通する円形の貫通孔１３が穿設されている。バーリングナット２の一側面１４は平坦に形成されている。周壁部１２はバーリングナット２の他側面１５であって、貫通孔１３の周縁部である他側面側周縁部１６に円筒状に形成されている。貫通孔の内面１７と周壁部１２の内面１８には、段付きボルト１の雄螺子部７と螺合可能な雌螺子部１９が形成されている。なお、本実施例のバーリングナット２の平板部１１は矩形板状に形成されているが、円形板状等、他の形状に形成してもよい。
【００１７】
第一板状樹脂部材３と第二板状樹脂部材４は、繊維強化プラスチック（ＦＲＰ）により形成され、フェンダー（図示せず）、グリル（図示せず）、バンパー（図示せず）等、車両（図示せず）の一部を構成する部品である。
【００１８】
その他、本実施例において第一板状樹脂部材３と第二板状樹脂部材４との固定には、図３〜図５に示すように、金属ワッシャ２０と、弾性部材としてのゴムワッシャ２１と、接着剤２２を用いる。金属ワッシャ２０には、段付きボルト１の段部６が挿通可能なボルト孔２３が穿設されている。また、ゴムワッシャ２１にも段付きボルト１の段部６が挿通可能なボルト孔２４が穿設されている。ゴムワッシャ２１の外径は、金属ワッシャ１９の外径よりも僅かに小さく形成されている。なお、接着剤２２は、バーリングナット２と第二板状樹脂部材４を確実に接着固定可能であれば、種々の接着剤を使用可能である。
【００１９】
ここで、第一板状樹脂部材３と第二板状樹脂部材４の固定方法について説明する。先ず、第一板状樹脂部材３と第二板状樹脂部材４に、段付きボルト１を挿通可能な円形の挿通孔２５，２６を穿設する。なお、挿通孔２５，２６は第一板状樹脂部材３及び第二板状樹脂部材４の成型時に形成してもよい。次に、バーリングナット２の周壁部１２と挿通孔２６の位置を合せ、バーリングナット２と第二板状樹脂部材４を接着剤２２により接着固定する。挿通孔２６の直径は周壁部１２の外径よりも僅かに大きく形成されており、周壁部１２を挿通孔２６内に収容可能であるため位置合わせが容易となっている。これで第二板状樹脂部材４がバーリングナット２の他側面１５の平板部１１に固定される。
【００２０】
次に、段付きボルト１の段部６を金属ワッシャ２０とゴムワッシャ２１と第一板状樹脂部材３に挿通する。金属ワッシャ２０はフランジ部９に当接させ、ゴムワッシャ２１は金属ワッシャ２０に当接させ、第一板状樹脂部材３はゴムワッシャ２１に当接させる。そして、段付きボルト１の雄螺子部７をバーリングナット２の一側面１４側から貫通孔１３に挿通すると共に雌螺子部１９に螺合させる。雄螺子部７を雌螺子部１９に螺合させていくと、段部６の当接部１０がバーリングナット２の一側面１４に当接する。この状態では、金属ワッシャ２０とゴムワッシャ２１と第一板状樹脂部材３が段付きボルト１のフランジ部９とバーリングナット２の一側面１４とにより挟持される。段部６の当接部１０は、一側面１４のうち貫通孔１３の周縁部である一側面側周縁部２７に当接する。一側面側周縁部２７は、周壁部１２が形成されているため、平板部１１よりも厚く形成されている部分であり、雄螺子部７と雌螺子部１９の螺合時の締付け荷重に対して平板部１１よりも有利である。
【００２１】
本実施例では、段部６の長さＬは５．０ｍｍ（ミリメートル）であり、第一板状樹脂部材３の板厚は２．３ｍｍ、金属ワッシャ２０の板厚は１．６ｍｍ、ゴムワッシャ２１の板厚は２．０ｍｍに設計されている。第一板状樹脂部材３と、金属ワッシャ２０と、ゴムワッシャ２１の板厚の合計は５．９ｍｍであり、段部６の長さＬよりも長くなっている。そのため、当接部１０がバーリングナット２の一側面１４に当接した状態では、ゴムワッシャ２１が弾性変形し、第一板状樹脂部材３が金属ワッシャ２０及びゴムワッシャ２１と共に強固に挟持される。段部６の長さＬ、第一板状樹脂部材３の板厚、金属ワッシャ２０の板厚、ゴムワッシャ２１の板厚は他の寸法は、第一板状樹脂部材３と第二板状樹脂部材４を確実に固定可能であれば他の寸法も選択可能である。また、第二板状樹脂部材４の板厚も所望の寸法を選択可能である。
【００２２】
第一板状樹脂部材３が段付きボルト１とバーリングナット２に挟持された状態で固定され、第二板状樹脂部材４が接着剤２２によりバーリングナット２に固定されるため、第一板状樹脂部材３と第二板状樹脂部材４は、バーリングナット２を挟んだ状態で固定される。バーリングナット２の一側面１４に第一板状樹脂部材３が当接し、他側面１５に第二板状樹脂部材４が当接した状態で第一板状樹脂部材３と第二板状樹脂部材４は固定される。そのため、第一板状樹脂部材３と第二板状樹脂部材４はバーリングナット２の平板部１１の厚さ、厳密には平板部１１の厚さと接着剤２２の厚さ分だけ離れて固定される。そのため、平板部１１の厚さを調節することにより第一板状樹脂部材３と第二板状樹脂部材との間隔を調節することができる。
【００２３】
以上のように、本実施例の固定構造は、雄螺子部７を有する第一連結部品としての段付きボルト１と雌螺子部１９を有する第二連結部品としてのバーリングナット２を用いて第一板状樹脂部材３と第二板状樹脂部材４を固定する固定構造であって、第一板状樹脂部材３がバーリングナット２の一側面１４側に配置され、第二板状樹脂部材４がバーリングナット２の他側面１５側に配置され、雄螺子部７と雌螺子部１９が螺合することにより第一板状樹脂部材３が段付きボルト１の頭部５とバーリングナット２との間に固定され、第二板状樹脂部材４がバーリングナット２の他側面１５に接着剤２２により固定されることにより、第一板状樹脂部材３と第二板状樹脂部材４に挿通孔２５，２６を穿設し、段付きボルト１とバーリングナット２と接着剤２２のみで第一板状樹脂部材３と第二板状樹脂部材４を簡易に固定することができる。
【００２４】
また、本実施例の固定構造は、段付きボルト１はバーリングナット２に当接する段部６を有し、第一板状樹脂部材３は段部６を挿通可能な挿通孔２５を有し、段部６の長さが第一板状樹脂部材３の厚さよりも長いことにより、雄螺子部７と雌螺子部１９の螺合によって第一板状樹脂部材３を必要以上に加圧することなく固定できる。そのため、雄螺子部７と雌螺子部１９の螺合による第一板状樹脂部材３の損傷を防止することができる。
【００２５】
また、本実施例の固定構造は、バーリングナット２は、平坦な平板部１１と、貫通孔１３と、貫通孔１３の周縁部としての他側面側周縁部１６に立設された周壁部１２と、を有し、周壁部１２がバーリングナット２の他側面１５に形成され、雌螺子部１９が貫通孔１３の内面１７と周壁部１２の内面１８に形成されていることにより、第一板状樹脂部材３と第二板状樹脂部材４の距離が平板部１１の板厚となるため、第一板状樹脂部材３と第二板状樹脂部材４を接近させて固定することができる。
【００２６】
また、本実施例の固定構造は、段付きボルト１はバーリングナット２と当接する当接部１０を有し、当接部１０がバーリングナット２の一側面１４に当接することにより、段付きボルト１の頭部５とバーリングナット２の一側面１４との間の距離が段部６の長さＬよりも狭くなることがない。そのため、段付きボルト１とバーリングナット２を連結する場合に雄螺子部７と雌螺子部１９の螺合によって第一板状樹脂部材３を必要以上に加圧することなく固定できる。
【００２７】
なお、本発明は上記実施例に限定されるものではなく、本発明の要旨の範囲内において、種々の変形実施が可能である。例えば、第一板状樹脂部材３と第二板状樹脂部材４は、車両に用いられる部品以外の部品等であってもよい。
【符号の説明】
【００２８】
１  段付きボルト（第一連結部品）
２  バーリングナット（第二連結部品）
３  第一板状樹脂部材
４  第二板状樹脂部材
５  頭部
７  雄螺子部
１５  他側面
１９  雌螺子部
２２  接着剤
【図１】
2019178761.tif 000003
【図２】
2019178761.tif 000004
【図３】
2019178761.tif 000005
【図４】
2019178761.tif 000006
【図５】
2019178761.tif 000007